(57)【要約】  機器と接続され、該機器を管理する管理装置。管理装置は、機器の状態を表示する表示部と、携帯端末と無線通信を行う無線通信部と、を備えている。管理装置は、携帯端末が閾値よりも近づくと、表示部に、機器を管理する管理プログラムに関する管理プログラム情報を表示するものである。
2017199295.tif 000002
【特許請求の範囲】
【請求項１】
機器と接続され、該機器を管理する管理装置であって、
前記機器の状態を表示する表示部と、
携帯端末と無線通信を行う無線通信部と、を備え、
前記携帯端末が閾値よりも近づくと、前記表示部に、前記機器を管理する管理プログラムに関する管理プログラム情報を表示する、
管理装置。
【請求項２】
前記携帯端末が前記閾値よりも近づくと、前記表示部が明るくなる、
請求項１に記載の管理装置。
【請求項３】
前記携帯端末が前記閾値よりも近づくと、前記表示部の表示が切り替えられて、前記表示部に、前記管理プログラム情報が表示される、
請求項１または請求項２に記載の管理装置。
【請求項４】
前記携帯端末が遠ざかると、前記表示部に表示されている前記管理プログラム情報の表示が消える、
請求項１〜請求項３の何れか一項に記載の管理装置。
【請求項５】
前記携帯端末が遠ざかると、前記表示部の表示が切り替えられて、前記表示部に表示されている前記管理プログラム情報の表示が消える、
請求項４に記載の管理装置。
【請求項６】
前記携帯端末が遠ざかると、前記表示部の表示が切り替えられて、前記表示部に、前記管理プログラム情報が表示される直前の表示が表示される、
請求項５に記載の管理装置。
【請求項７】
前記管理プログラム情報は、前記管理プログラムの取得を促す喚起情報を含む、
請求項１〜請求項６の何れか一項に記載の管理装置。
【請求項８】
前記管理プログラム情報は、前記管理プログラムが記憶されているサーバのアドレスに関するアドレス情報を含む、
請求項１〜請求項７の何れか一項に記載の管理装置。
【請求項９】
前記携帯端末が前記閾値よりも近づくと、前記表示部に、当該管理装置を識別する識別情報をさらに表示する、
請求項１〜請求項８の何れか一項に記載の管理装置。
【請求項１０】
壁面に取り付けられている、
請求項１〜請求項９の何れか一項に記載の管理装置。
【請求項１１】
前記表示部は、表示を行う表示パネルと、前記表示パネルと積層されタッチを検出する検出手段と、を含んでいる、
請求項１〜請求項１０の何れか一項に記載の管理装置。
【請求項１２】
音または光で報知を行う報知部をさらに有し、
前記携帯端末が前記閾値よりも近づくと、前記報知部に、前記携帯端末が近づいた旨を報知させる、
請求項１〜請求項１１の何れか一項に記載の管理装置。
【請求項１３】
前記無線通信部は、前記携帯端末が発した無線信号を検出する検出部を含み、
前記検出部が検出した前記無線信号の強度を用いて、前記携帯端末と当該管理装置との間の距離を判断する、
請求項１〜請求項１２の何れか一項に記載の管理装置。
【請求項１４】
前記無線信号の前記強度の平均値を用いて、前記携帯端末と当該管理装置との間の距離を判断する、
請求項１３に記載の管理装置。
【請求項１５】
前記管理プログラムは、前記携帯端末に、前記機器をオンオフ制御する機能、及び前記機器を制御する制御量を調整する機能のうちの少なくとも一つを実現させるプログラムを含んでいる、
請求項１〜請求項１４の何れか一項に記載の管理装置。
【請求項１６】
請求項１〜請求項１５の何れか一項に記載の管理装置と、
前記管理装置と接続されており、部屋の空調を行う室内機と、を備え、
前記管理プログラムをインストールした前記携帯端末が、前記室内機を管理する、
空調システム。
【請求項１７】
前記管理装置は、
前記管理プログラムがインストールされた前記携帯端末が前記閾値よりも近づいた場合には、前記表示部に前記管理プログラム情報を表示せず、
前記管理プログラムがインストールされていない前記携帯端末が前記閾値よりも近づいた場合に、前記表示部に前記管理プログラム情報を表示する
請求項１６に記載の空調システム。
【請求項１８】
前記室内機は、第１室内機と第２室内機とを含み、
前記管理装置は、前記第１室内機と接続された第１管理装置と、前記第２室内機と接続された第２管理装置と、を含み、
前記携帯端末は、前記第１管理装置を介して前記第１室内機を管理し、または前記第２管理装置を介して前記第２室内機を管理する、
請求項１６または請求項１７に記載の空調システム。
【請求項１９】
前記第１室内機および前記第１管理装置と、前記第２室内機および前記第２管理装置と、が異なる部屋に設置されている、
請求項１８に記載の空調システム。
【発明の詳細な説明】
【技術分野】
【０００１】
本発明は、空気調和機等の管理対象機器を管理する管理装置及び空調システムに関する。
【背景技術】
【０００２】
従来から、スマートフォンなどの携帯端末を使用して、空気調和機を管理する技術が知られている（例えば、特許文献１参照）。特許文献１の空気調和システムでは、ユーザが、空気調和機の管理プログラムを携帯端末にダウンロードすることにより、携帯端末による空気調和機の管理が可能となる。【０００３】
ただし、操作用アプリケーションに対応している空気調和機が設置されていても、そのことを認識できていないユーザが管理プログラムをダウンロードすることはない。このため、従来は、空気調和機の取扱説明書、ＰＯＰ広告、又はＷｅｂページ等の別媒体を用いて、ユーザに管理プログラムのダウンロードを促している。特に、一時的又は短期的に滞在する客室に設置された空気調和機を、滞在者の携帯端末で操作させようとする場合は、専用アプリケーションである管理プログラムのダウンロードを促すための情報を、別途ＰＯＰ広告又は利用の手引き等に示す必要がある。
【先行技術文献】
【特許文献】
【０００４】
【特許文献１】特開２０１５−１２９６３８号公報
【発明の概要】
【発明が解決しようとする課題】
【０００５】
しかしながら、従来のように、ＰＯＰ広告等を用いた誘導を行っても、ＰＯＰ広告等に気づかないユーザ及び興味を持たないユーザが多い。このため、管理プログラムのダウンロード率及び利用率が低迷しており、携帯端末による空気調和機の快適な操作性をユーザに提供することが困難な状況にある。【０００６】
本発明は、上記のような課題を解決するためになされたものであり、空気調和機の管理プログラムの携帯端末へのダウンロード率及び利用率を上昇させ、空気調和機の操作性を拡張する管理装置及び空調システムを提供することを目的とする。
【課題を解決するための手段】
【０００７】
本発明に係る管理装置は、機器と接続され、該機器を管理する管理装置であって、機器の状態を表示する表示部と、携帯端末と無線通信を行う無線通信部と、を備え、携帯端末が閾値よりも近づくと、表示部に、機器を管理する管理プログラムに関する管理プログラム情報を表示するものである。
【発明の効果】
【０００８】
本発明は、携帯端末が閾値よりも近づいたとき、表示部に管理プログラム情報を表示させることから、携帯端末のユーザに管理プログラムの存在を効率よく認識させることができる。このため、空気調和機の管理プログラムの携帯端末へのダウンロード率及び利用率を上昇させ、空気調和機の操作性の拡張を図ることができる。
【図面の簡単な説明】
【０００９】
【図１】本発明の実施の形態１に係る機器管理システムの構成を示す模式図である。
【図２】図１の表示部に表示される管理プログラム情報の一例を示す説明図である。
【図３】図１の管理装置に備わる無線通信制御部の動作を示すフローチャートである。
【図４】図１の管理装置に備わる表示制御部の動作を示すフローチャートである。
【図５】本発明の実施の形態１の変形例１に係る管理装置の機能構成を示すブロック図である。
【図６】本発明の実施の形態１の変形例２に係る管理装置の機能構成を示すブロック図である。
【図７】本発明の実施の形態２に係る機器管理システムの構成を示す模式図である。
【図８】図７の管理装置の機能構成を示すブロック図である。
【図９】図８の管理装置に備わる表示制御部の動作を示すフローチャートである。
【発明を実施するための形態】
【００１０】
実施の形態１．
図１は、本発明の実施の形態１に係る機器管理システム９０の構成を示す模式図である。図１に示すように、機器管理システム９０は、管理装置１０と、携帯端末２０と、空気調和機３０と、アプリ管理サーバ４０と、を有している。ここで、本実施の形態１における機器管理システム９０は、本発明の「空調システム」に相当する。
【００１１】
携帯端末２０は、例えば、携帯電話、スマートフォン、タブレットＰＣ、又はノートＰＣ等のように、ユーザが携行できる端末である。携帯端末２０は、Ｂｌｕｅｔｏｏｔｈ（登録商標）又はＷｉＦｉ（登録商標）等の無線ＬＡＮなど、任意の通信規格により情報通信を行う機能を有している。
【００１２】
空気調和機３０は、部屋等の空調対象空間に設けられ、空調対象空間の空気の温度、湿度、及び清浄度などを調整するものである。空気調和機３０は、室内機と室外機とが別々に設けられた分離型の空調機であってもよく、室内機の機能と室外機の機能とを組み合わせた一体型の空調機であってもよい。また、空気調和機３０は、空調対象空間の空気と外気と入れ替える換気装置、空気中に浮遊する粉塵などを除去する空気清浄機、及び空調対象空間の空気を加湿する加湿器などであってもよい。アプリ管理サーバ４０は、空気調和機３０の管理用の専用アプリケーションである管理プログラムを格納し管理するものである。
【００１３】
ここで、管理プログラムとは、空気調和機３０を管理する機能を携帯端末２０に付与するための専用アプリケーションである。管理プログラムは、携帯端末２０に、空気調和機３０をオンオフ制御する機能、及び空気調和機３０を制御する制御量を調整する機能のうちの少なくとも一つを実現させるプログラムを含んで構成されている。管理プログラムをダウンロードしてインストールした携帯端末２０により、ユーザは、空気調和機３０を遠隔操作し、管理することができる。
【００１４】
例えば、空気調和機３０が、室内機と室外機とを有する場合、管理装置１０は、部屋等
の空調を行う当該室内機に接続される。管理プログラムをインストールした携帯端末２０は、空気調和機３０の室内機を管理する機能を実現することができる。なお、管理プログラムをインストールした携帯端末２０から、ユーザが、例えば使用電力又は電気代等の管理情報を確認できるように、管理プログラムを構成してもよい。
【００１５】
携帯端末２０は、例えば、携帯電話、スマートフォン、タブレットＰＣ、ノートＰＣ等のように、ユーザが携行できる端末である。携帯端末２０は、Ｂｌｕｅｔｏｏｔｈ（登録商標）又はＷｉＦｉ（登録商標）等の無線ＬＡＮなど、任意の通信規格により情報通信を行う機能を有している。携帯端末２０は、公衆回線５０を介して、アプリ管理サーバ４０から空気調和機３０の管理プログラムをダウンロードし、インストールする機能を有している。
【００１６】
管理装置１０は、空気調和機３０と有線又は無線で接続され、空気調和機３０を管理するものである。管理装置１０は、例えば、部屋の壁面、又は部屋に設けられたデスク、物置台、もしくはベッドの棚等に配置される。管理装置１０は、無線通信部１１と、無線通信制御部１２と、表示制御部１３と、表示部１４と、を有している。無線通信部１１は、携帯端末２０との無線通信を行うものである。無線通信部１１は、携帯端末２０が発した無線信号を検出する検出部（図示せず）を含んで構成されている。本実施の形態１において、無線通信部１１の検出部は、近接通信を行う機能である近接通信機能を有している。そして、無線通信部１１の検出部は、近接通信機能により携帯端末２０の電波を無線信号として検出するものである。本実施の形態１において、無線通信部１１は、一定時間間隔で携帯端末２０の電波を検出するように構成されている。ここで、携帯端末２０の電波とは、携帯端末２０が近接通信機能を有効にしている場合に発信する電波である。近接通信機能とは、例えば、Ｂｌｕｅｔｏｏｔｈ（登録商標）又は無線ＬＡＮ等による通信を行う機能である。以降では、携帯端末２０の電波を、単に「電波」ともいう。
【００１７】
また、無線通信部１１は、管理装置１０が設置された空調対象空間に、近接通信機能が有効な携帯端末２０をもつ複数のユーザが存在する場合等において、複数の携帯端末２０の電波をそれぞれ個別に検出するように構成されている。
【００１８】
無線通信制御部１２は、無線通信部１１において検出された電波をもとに、管理装置１０の近辺において近接通信機能が有効な携帯端末２０を検索するものである。また、無線通信制御部１２は、携帯端末２０と空気調和機３０との通信を中継する機能を有している。
【００１９】
無線通信制御部１２は、電波強度演算部１２Ａと、強度判定部１２Ｂと、を有している。電波強度演算部１２Ａは、設定時間内に無線通信部１１が検出した同一の携帯端末２０の電波の平均値を電波強度として求めるものである。ここで、設定時間は、無線通信部１１の電波検出に係る一定時間よりも長い時間に設定され、無線通信部１１は、設定時間内に、同一の携帯端末２０の電波を複数回検出することになる。もっとも、電波強度演算部１２Ａは、無線通信部１１が検出した１つの電波の値を電波強度として求めるようにしてもよい。
【００２０】
強度判定部１２Ｂは、電波強度演算部１２Ａが求めた電波強度が予め設定された電波強度閾値以上であるか否かを判定するものである。電波強度閾値は、例えば、ユーザが表示部１４に表示された情報を認識し得る一般的な位置を基準として設定される。すなわち、電波強度閾値は、当該電波強度閾値の設定基準となる位置に置かれた携帯端末２０の電波を基準として設定される。ここで、電波強度閾値の設定基準となる位置は、管理装置１０が設置される部屋の広さ、及び当該部屋における管理装置１０と空気調和機３０との配置関係などを考慮して適宜設定変更してもよい。なお、管理装置１０が設置されている位置と電波強度閾値の設定基準となる位置との間の距離は、本発明の「閾値」に相当する。すなわち、強度判定部１２Ｂは、携帯端末２０が閾値よりも近づいたか否かを判定するものである。
【００２１】
電波強度閾値は、上記のように設定されるため、電波強度が電波強度閾値以上であれば、近接通信機能を有効にしている携帯端末２０が近づいてきたと判断することができる。このため、強度判定部１２Ｂは、電波強度が電波強度閾値以上である場合、表示制御部１３へ情報表示指令を通知するように構成されている。
【００２２】
また、電波強度が、一旦電波強度閾値以上となった後に電波強度閾値未満となった場合、携帯端末２０のユーザは、管理装置１０を十分に識別することができない場所へ移動したと考えられる。このため、強度判定部１２Ｂは、電波強度閾値以上となっていた電波強度が電波強度閾値未満となった場合、表示制御部１３へ表示切替指令を通知するように構成されている。もっとも、表示切替指令に対応する電波強度閾値は、情報表示指令に対応する電波強度閾値と同じ値であってもよく、異なる値であってもよい。例えば、表示切替指令に対応する電波強度閾値が、情報表示指令に対応する電波強度閾値よりも大きい値に設定されていれば、強度判定部１２Ｂが、電波強度の若干の変化に起因して情報表示指令と表示切替指令とを繰り返し送信するといった事態を回避することができるため、制御の安定化を図ることができる。
【００２３】
ここで、電波強度演算部１２Ａは、無線通信部１１が複数の携帯端末２０の電波を検出した場合、各電波を、対応する携帯端末２０ごとに整理し、携帯端末２０ごとの電波強度を求める機能を有している。そして、強度判定部１２Ｂは、複数の携帯端末２０のうちの何れか１つに対応する電波強度が電波強度閾値以上であれば、表示制御部１３へ情報表示指令を通知するように構成されている。
【００２４】
表示制御部１３は、強度判定部１２Ｂから情報表示指令が通知されたとき、空気調和機３０を管理する管理プログラムに関する管理プログラム情報を表示部１４に表示させるものである。表示制御部１３は、表示部１４がスリープ状態になっておらず、メニュー画面表示等になっている場合、携帯端末２０が閾値よりも近づくと、表示部１４の表示を管理プログラム情報の表示に切り替えるものである。
【００２５】
表示部１４は、例えば液晶ディスプレイ（ｌｉｑｕｉｄ  ｃｒｙｓｔａｌ  ｄｉｓｐｌａｙ）からなり、空気調和機３０に関する情報を表示するものである。もっとも、表示部１４は、文字又は画像等の表示を行う表示パネルと、当該表示パネルと積層されてタッチを検出する検出手段と、を含むタッチパネル等であってもよい。
【００２６】
以上のように、管理装置１０は、携帯端末２０が閾値よりも近づくと、表示部１４に管理プログラム情報を表示させるものである。ここで、管理装置１０は、携帯端末２０が閾値よりも近づくと、表示部１４が点灯するように構成するとよい。つまり、強度判定部１２Ｂが、無線通信部１１の無線通信に基づいて、携帯端末２０との距離が閾値よりも短くなったと判定した場合に、表示制御部１３が、表示部１４の表示画面を点灯させるようにするとよい。そして、例えば、無線通信制御部１２において電波強度が電波強度閾値以上であると判定されたとき、表示制御部１３は、初期表示時間が経過するまで、表示部１４に備わるバックライトを、設定された通常の明るさよりも明るく点灯させるようにしてもよい。初期表示時間は、例えば５秒〜１５秒といった比較的短い時間に設定するとよい。ここで、設定された通常の明るさとは、例えば、初期画面又はメニュー画面等を表示部１４に表示させる場合の明るさのことである。なお、携帯端末２０が近づいたとき、表示部１４に初期画面又はメニュー画面等を表示され、表示部１４が既に点灯している場合は、表示制御部１３が、表示部１４の輝度を上昇させるようにするとよい。もっとも、表示制御部１３は、管理プログラム情報を表示させている間中、表示部１４に備わるバックライトを通常の明るさよりも明るくするようにしてもよい。
【００２７】
さらに、管理装置１０は、携帯端末２０が遠ざかると、表示部１４に表示されている管理プログラム情報の表示が表示部１４から消えるようにしてもよい。より具体的に、無線通信制御部１２は、無線通信部１１が検出した無線信号に基づき、携帯端末２０が管理装置１０から遠ざかる方向に移動したことを検知する機能を有していてもよい。そして、無線通信制御部１２は、閾値よりも近づいている携帯端末２０が、管理装置１０から一定の距離以上遠ざかった場合に、表示部１４から管理プログラム情報を消去するようにしてもよい。すなわち、例えば、管理装置１０は、携帯端末２０が遠ざかると、表示部１４に管理プログラム情報が表示されている状態から、表示部１４に何も表示されていない消灯状態に切り替わるようにしてもよい。また、管理装置１０は、携帯端末２０が遠ざかると、表示部１４の表示が、管理プログラム情報の表示から他の表示に切り替わるようにしてもよい。ここで、他の表示とは、初期画面の表示又はメニュー画面の表示等である。もっとも、他の表示は、管理プログラム情報が表示される直前の表示であってもよい。
【００２８】
加えて、管理装置１０は、携帯端末２０に管理プログラムがインストールされているか否かを判定する機能を有していてもよい。例えば、管理プログラムがインストールされた携帯端末２０は、管理プログラムを実行しているとき等に、管理プログラムがインストールされている旨の情報を含む無線信号を発する。すなわち、管理装置１０は、携帯端末２０から、管理プログラムがインストールされている旨の情報を含む無線信号を受信した場合に、当該携帯端末２０に管理プログラムがインストールされていると判定するようにしてもよい。そして、管理装置１０は、閾値よりも近づいた携帯端末２０に管理プログラムがインストールされていなければ、表示部１４に管理プログラム情報を表示し、閾値よりも近づいた携帯端末２０に管理プログラムがインストールされていれば、表示部１４に管理プログラム情報を表示しないように構成してもよい。すなわち、管理装置１０は、管理プログラムがインストールされた携帯端末２０が閾値よりも近づいた場合は、表示部１４に管理プログラム情報を表示せず、管理プログラムがインストールされていない携帯端末２０が閾値よりも近づいた場合に、表示部１４に管理プログラム情報を表示するようにしてもよい。
【００２９】
図２は、図１の表示部１４に表示される管理プログラム情報の一例を示す説明図である。図２に示すように、表示部１４には、管理プログラム情報として、例えば、メッセージＭ１０１と、管理プログラムの取得先のＵＲＬの情報であるダウンロード情報Ｍ１０２及びコード情報Ｍ１０３と、接続認証情報Ｍ１０４と、が表示される。管理プログラム情報は、管理装置１０の内部メモリ等（図示せず）に予め格納されている。そして、強度判定部１２Ｂから情報表示指令が通知されたときに、表示制御部１３が、管理プログラム情報を内部メモリ等から読み出して表示部１４に表示させる。
【００３０】
メッセージＭ１０１は、管理プログラムが存在することを示す情報である。ダウンロード情報Ｍ１０２は、管理プログラムが記憶されているアプリ管理サーバ４０のアドレスに関するアドレス情報、すなわち、管理プログラムの取得先のＵＲＬを示す文字列の情報である。コード情報Ｍ１０３は、管理プログラムの取得先のＵＲＬを示すＱＲコード（登録商標）である。
【００３１】
接続認証情報Ｍ１０４は、管理装置１０を識別する識別情報である。より具体的に、接続認証情報Ｍ１０４は、例えばＰＩＮコードであり、ユーザが管理プログラムをダウンロードした後、携帯端末２０と管理装置１０とを近接通信で接続する際に必要となる情報である。ユーザが管理プログラムをダウンロードすると、携帯端末２０の表示画面上で接続認証情報Ｍ１０４の入力が要求される。その際、ユーザが、例えば図２に示す「４６４９」を入力すれば、携帯端末２０によって空気調和機３０を操作できる状態となる。
【００３２】
ここで、機器管理システム９０は、携帯端末２０によって空気調和機３０を直接操作できるように構成してもよい。また、機器管理システム９０は、携帯端末２０と空気調和機３０との通信を中継する中継装置を有していてもよい。上記のような各構成を採った場合は、無線通信制御部１２が、携帯端末２０と空気調和機３０との通信を中継する機能を有していなくてもよい。
【００３３】
なお、無線通信制御部１２及び表示制御部１３は、上記の各機能を実現する回路デバイスなどのハードウェアで実現することもできるし、例えばＤＳＰ（ｄｉｇｉｔａｌ  ｓｉｇｎａｌ  ｐｒｏｃｅｓｓｏｒ）等のマイコン又はＣＰＵ（Ｃｅｎｔｒａｌ  ｐｒｏｃｅｓｓｉｎｇ  Ｕｎｉｔ）等の演算装置上で実行されるソフトウェアとして実現することもできる。加えて、上述した内部メモリ等は、ＨＤＤ（Ｈａｒｄ  Ｄｉｓｋ  Ｄｒｉｖｅ）又はフラッシュメモリ等により構成することができる。
【００３４】
図３は、図１の管理装置１０に備わる無線通信制御部１２の動作を示すフローチャートである。図４は、図１の管理装置１０に備わる表示制御部１３の動作を示すフローチャートである。図３及び図４を参照して、管理装置１０による空気調和機３０の管理方法を説明する。
【００３５】
まず、図３を参照して、無線通信制御部１２の動作を説明する。
無線通信制御部１２は、無線通信部１１が携帯端末２０の電波を検出するまで待機する（図３：ステップＳ１０１／Ｎｏ）。
【００３６】
無線通信部１１は、携帯端末２０の電波を検出すると（図３：ステップＳ１０１／Ｙｅｓ）、検出した電波の情報を無線通信制御部１２へ出力する。無線通信制御部１２は、無線通信部１１から出力される電波の情報をもとに携帯端末２０の電波強度を求める（図３：ステップＳ１０２）。
【００３７】
次いで、無線通信制御部１２は、求めた電波強度が電波強度閾値以上であるか否かを判定する（図３：ステップＳ１０３）。無線通信制御部１２は、電波強度が電波強度閾値未満であれば（図３：ステップＳ１０３／Ｎｏ）、何ら処理を行わずにステップＳ１０１へ戻る。一方、無線通信制御部１２は、電波強度が電波強度閾値以上であれば（図３：ステップＳ１０３／Ｙｅｓ）、近接通信機能を有効にした携帯端末２０が近接したと判断できるため、情報表示指令を表示制御部１３へ通知する（図３：ステップＳ１０４）。
【００３８】
次に、無線通信制御部１２は、ステップＳ１０１と同様に、無線通信部１１から電波の情報が出力されるまで待機する（図３：ステップＳ１０５／Ｎｏ）。そして、無線通信制御部１２は、無線通信部１１から電波の情報が出力されると（図３：ステップＳ１０５／Ｙｅｓ）、ステップＳ１０２と同様に、携帯端末２０の電波強度を求める（図３：ステップＳ１０６）。
【００３９】
次いで、無線通信制御部１２は、電波強度が電波強度閾値未満であるか否かを判定する（図３：ステップＳ１０７）。無線通信制御部１２は、電波強度が電波強度閾値以上であれば（図３：ステップＳ１０７／Ｎｏ）、ステップＳ１０５へ戻る。一方、無線通信制御部１２は、電波強度が電波強度閾値未満であれば（図３：ステップＳ１０７／Ｙｅｓ）、表示切替指令を表示制御部１３へ通知し（図３：ステップＳ１０８）、ステップＳ１０１へ戻る。以上のように、無線通信制御部１２は、ステップＳ１０１〜Ｓ１０８に示す一連の処理を繰り返し実行する。
【００４０】
次に、図４を参照して、表示制御部１３の動作を説明する。
表示制御部１３は、無線通信制御部１２から情報表示指令が通知されるまで待機する（図４：ステップＳ２０１／Ｎｏ）。表示制御部１３は、無線通信制御部１２から情報表示指令が通知されたとき、表示部１４のスリープ状態を解除する（図４：ステップＳ２０２）。そして、表示制御部１３は、内部メモリ等から管理プログラム情報を読み出して、管理プログラム情報を表示部１４に表示させる（図４：ステップＳ２０３）。
【００４１】
次いで、表示制御部１３は、無線通信制御部１２から表示切替指令が通知されるまで待機する（図４：ステップＳ２０４／Ｎｏ）。表示制御部１３は、無線通信制御部１２から表示切替指令が通知されたとき（図４：ステップＳ２０４／Ｙｅｓ）、表示部１４の表示を切り替える。すなわち、表示制御部１３は、無線通信制御部１２からの表示切替指令に応じて、表示部１４の表示を、管理プログラム情報の表示から初期画面等の表示に切り替える（図４：ステップＳ２０５）。そして、表示制御部１３は、ステップＳ２０１〜Ｓ２０５に示す一連の処理を繰り返し実行する。
【００４２】
なお、表示制御部１３は、ステップＳ２０５において、表示部１４を、例えばスリープ状態等の無表示の状態に切り替えるようにしてもよい。また、ステップＳ２０５において、表示制御部１３は、表示部１４に初期画面等を表示させた後、一定の時間が経過したときに表示部１４を無表示の状態とするようにしてもよい。
【００４３】
ここで、上記動作説明では、少なくとも図３から図４のステップＳ２０１までの一連の処理の間、表示部１４がスリープ状態にあることを想定して説明したが、無線通信制御部１２から情報表示指令が通知されたとき、表示部１４がスリープ状態にない場合も想定される。よって、このような場合、表示制御部１３はステップＳ２０２を実行せずにステップＳ２０３へ移行する。なお、図４では、表示制御部１３が、無線通信制御部１２からの表示切替指令に応じて、表示部１４の表示を切り替える場合を例示したが、これに限定されるものではない。例えば、表示制御部１３は、無線通信制御部１２から表示切替指令が通知されるまでの待機中において（図４：ステップＳ２０４／Ｎｏ）、予め設定された時間が経過したときに、表示部１４の表示を切り替えるようにしてもよい。
【００４４】
以上のように、本実施の形態１における管理装置１０は、携帯端末２０のユーザが近づいたとき、表示部１４に、管理プログラムのダウンロードを促すことを目的とした画面を表示させることができる。つまり、管理装置１０は、無線通信制御部１２において電波強度が電波強度閾値以上であると判定されたとき、管理プログラム情報を表示部１４に表示させる。このため、管理装置１０の近くにいるユーザに、管理プログラムの存在を認識させることができる。よって、管理装置１０によれば、空気調和機３０の管理プログラムの携帯端末２０へのダウンロード率及び利用率を上昇させ、空気調和機３０の操作性を拡張し向上させることができる。
【００４５】
また、電波強度演算部１２Ａは、設定時間内に無線通信部１１が検出した電波の平均値を電波強度として求めることから、無線通信部１１の検出誤差等を緩和することができる。このため、無線通信制御部１２による判定の精度を高めることができ、携帯端末２０を精度よく検索することができる。
【００４６】
なお、本実施の形態１では、表示部１４に、メッセージＭ１０１、ダウンロード情報Ｍ１０２、コード情報Ｍ１０３、及び接続認証情報Ｍ１０４が表示される場合を例示したが、これに限定されるものではない。例えば、表示制御部１３は、表示部１４に、管理プログラム情報として、メッセージＭ１０１と、ダウンロード情報Ｍ１０２及びコード情報Ｍ１０３のうちの少なくとも１つとを表示させるようにしてもよい。管理プログラム情報として、ダウンロード情報Ｍ１０２を表示すれば、ユーザは、管理プログラムの取得先を示すＵＲＬであることを一見して認識することができる。また、管理プログラム情報として、コード情報Ｍ１０３を表示すれば、ユーザによる手入力が不要となるため、ユーザの利便性が向上する。さらに、管理プログラム情報として、ダウンロード情報Ｍ１０２及びコード情報Ｍ１０３の双方を表示すれば、ユーザに、ダウンロード情報Ｍ１０２とコード情報Ｍ１０３とを対応づけて認識させることができる。このため、ユーザに管理プログラムの存在を強く意識させ、ユーザによる管理プログラムのダウンロード率を向上させることができる。
【００４７】
また、表示制御部１３は、管理プログラム情報として、さらに接続認証情報Ｍ１０４を表示させるようにしてもよい。このように、他の情報と共に接続認証情報Ｍ１０４を表示すれば、ユーザが画面表示を切り替えるといった手間を省くことができる。併せて、接続認証情報Ｍ１０４の入力が要求されることを、ユーザに前もって知らせることができるため、管理プログラムのダウンロード及び初期設定の円滑化を図ることができる。
【００４８】
もっとも、表示制御部１３が、管理プログラム情報として、メッセージＭ１０１を表示させないようにしてもよい。このようにしても、スマートフォン等による専用アプリケーションのダウンロードが盛んに行われている昨今においては、ユーザに管理プログラムをダウンロードさせることができる。ただし、表示部１４にメッセージＭ１０１を表示した方が、管理プログラムの存在をユーザにより強く認識させることができる。
【００４９】
＜変形例１＞
図５は、本発明の実施の形態１の変形例１に係る管理装置の機能構成を示すブロック図である。前述した管理装置１０と同等の構成部材については、同一の符号を用いて説明は省略する。
【００５０】
図５に示すように、本変形例１の管理装置１１０は、報知制御部１１３と、報知部１１４と、を有している。本変形例１の管理プログラム情報は、注意を喚起することにより、管理プログラムの取得を促す喚起情報を含んでいる。報知部１１４は、喚起情報を出力するものである。本変形例１において、報知部１１４は、例えばスピーカを含んで構成され、喚起情報として、音又は音声を出力するものである。報知制御部１１３は、無線通信制御部１２において電波強度が電波強度閾値以上であると判定されたとき、例えば「専用アプリを使って操作できます」のような音声アナウンス、すなわち注意を喚起する音声を喚起情報として報知部１１４に出力させるものである。
【００５１】
ここで、報知制御部１１３は、無線通信制御部１２において電波強度が電波強度閾値以上であると判定されたとき、ビープ音等の注意を喚起する音を喚起情報として報知部１１４に出力させてもよい。また、報知制御部１１３は、無線通信制御部１２において電波強度が電波強度閾値以上であると判定されたとき、注意を喚起する音と注意を喚起する音声との双方を喚起情報として報知部１１４に出力させてもよい。例えば、報知制御部１１３は、報知部１１４に、まず注意を喚起する音を出力させ、その後、注意を喚起する音声を出力させるようにしてもよい。管理装置１１０の他の構成及び動作については、管理装置１０と同様である。
【００５２】
以上のように、本変形例１における管理装置１１０は、無線通信制御部１２において電波強度が電波強度閾値以上であると判定されたとき、さらに、注意を喚起する音及び注意を喚起する音声のうちの少なくとも一方を報知部１１４に出力させる。このため、ユーザの注意を喚起すると共に、音又は音声の出力元である管理装置１１０に関心を持たせることができる。よって、管理装置１１０によれば、空気調和機３０の管理プログラムの携帯端末２０へのダウンロード率及び利用率をさらに上昇させ、空気調和機３０の操作性の拡張及び向上を図ることができる。
【００５３】
なお、報知部１１４は、喚起情報として、音又は音声の代わりに、バイブレーション、すなわち振動を出力するようにしてもよい。さらに、報知部１１４は、喚起情報として、音又は音声と共にバイブレーションを出力するようにしてもよい。すなわち、報知制御部１１３は、無線通信制御部１２において電波強度が電波強度閾値以上であると判定されたとき、音、音声、及びバイブレーションのうちの少なくとも一つを喚起情報として出力するようにしてもよい。また、管理装置１１０は、携帯端末２０が閾値よりも近づくと、報知部１１４に、携帯端末２０が近づいた旨を報知させるようにしてもよい。
【００５４】
＜変形例２＞
図６は、本発明の実施の形態１の変形例２に係る管理装置の機能構成を示すブロック図である。前述した管理装置１０と同等の構成部材については、同一の符号を用いて説明は省略する。
【００５５】
図６に示すように、本変形例２の管理装置２１０は、発光制御部２１３と、発光部２１４と、を有している。発光部２１４は、例えば一又は複数のＬＥＤを含んで構成されている。発光制御部２１３は、無線通信制御部１２において電波強度が電波強度閾値以上であると判定されたとき、発光部２１４を点灯又は点滅させるものである。
【００５６】
以上のように、本変形例２における管理装置２１０は、無線通信制御部１２において電波強度が電波強度閾値以上であると判定されたとき、さらに、発光部２１４を点灯又は点滅させる。このため、ユーザの注意を喚起すると共に、点灯又は点滅する管理装置１１０に関心を持たせることができる。よって、管理装置１１０によれば、空気調和機３０の管理プログラムの携帯端末２０へのダウンロード率及び利用率をさらに上昇させ、空気調和機３０の操作性の拡張及び向上を図ることができる。ここで、管理装置２１０は、携帯端末２０が閾値よりも近づくと、発光部２１４に、携帯端末２０が近づいた旨を報知させるようにしてもよい。
【００５７】
なお、本実施の形態１の管理装置１０は、変形例１と変形例２とを組み合わせた構成であってもよい。すなわち、管理装置１０が、報知制御部１１３、報知部１１４、発光制御部２１３、及び発光部２１４をさらに有するように構成してもよい。そして、管理装置１０は、携帯端末２０が閾値よりも近づくと、報知部１１４及び発光部２１４のうちの少なくとも一方に、携帯端末２０が近づいた旨を報知させるようにしてもよい。ここで、報知部１１４及び発光部２１４は、本発明の「音または光で報知を行う報知部」に相当する。
【００５８】
実施の形態２．
図７は、本発明の実施の形態２に係る機器管理システムの構成を示す模式図である。図８は、図７の管理装置の機能構成を示すブロック図である。前述した実施の形態１と同等の構成部材については同一の符号を用いて説明は省略する。
【００５９】
図７に示すように、本実施の形態２における機器管理システム３９０は、携帯端末２０と、空気調和機３０と、アプリ管理サーバ４０と、リモートコントローラ３６０と、を有している。ここで、本実施の形態２における機器管理システム３９０は、本発明の「空調システム」に相当する。リモートコントローラ３６０と空気調和機３０とは、伝送線３００によって接続されている。これにより、リモートコントローラ３６０は、空気調和機３０を監視することができる。
【００６０】
リモートコントローラ３６０は、空調対象空間である部屋等の壁面に設けられ、無線通信部１１と、制御部３７０と、表示部３１４と、操作部３８０と、を有している。表示部３１４は、例えば液晶ディスプレイからなり、空気調和機の操作に関する情報、空気調和機３０の運転状態、及び空調対象空間の空気の状態などを表示するものである。
【００６１】
制御部３７０は、表示制御部３１３と、無線通信制御部１２と、空調機制御部３７１と、を有している。空調機制御部３７１は、空気調和機３０に設けられた各種センサ（図示せず）による検出値を取得して空気調和機３０を監視し、空気調和機３０の動作を制御するものである。表示制御部３１３は、無線通信制御部１２及び空調機制御部３７１から通知される情報表示指令又は表示切替指令に応じて、表示部３１４に様々な画面を表示させるものである。図７には、表示制御部３１３が、空調機制御部３７１からの情報表示指令、又は無線通信制御部１２からの表示切替指令に応じて、表示部３１４に、空気調和機３０の設定内容を示す通常のリモコン画面を表示させた場合を例示している。また、表示制御部３１３は、無線通信制御部１２からの情報表示指令に応じて、表示部３１４に、例えば図２のような管理プログラムのダウンロードを促す管理プログラム情報を表示させる。すなわち、表示制御部３１３は、実施の形態１における表示制御部１３と同様の機能を有している。
【００６２】
操作部３８０は、ユーザによる入力操作を受け付け、操作内容に応じた信号を制御部３７０へ送信するものである。リモートコントローラ３６０は、操作部３８０として、例えば、表示部３１４に表示された画面に応じて種々の機能が割り付けられる複数の機能キー１ａ〜１ｄと、特定の機能が固定的に割り当てられた複数の固定キー２ａ〜２ｄと、を有している。
【００６３】
表示部３１４が、図７のように、風速の情報、設定温度の情報、及び運転モードの情報を表示している場合、機能キー１ａは風速の設定変更を受け付け、機能キー１ｂ及び機能キー１ｃは設定温度の変更を受け付け、機能キー１ｄは、運転モードの変更を受け付ける。また、「メニュー」と表記された固定キー２ａがユーザにより押下されると、表示制御部３１３は、表示部３１４にメニュー画面を表示させる。「もどる」と表記された固定キー２ｂがユーザにより押下されると、表示制御部３１３は、表示部３１４に１つ前の画面を表示させる。ユーザが複数の機能キー１ａ〜１ｄなどを用いて入力操作を行い、「決定」と表記された固定キー２ｃを押下すると、空調機制御部３７１は、ユーザによる入力内容に従って空気調和機３０に関する設定を更新する。「もどる」と表記された固定キー２ｄがユーザにより押下されると、空調機制御部３７１は、空気調和機３０の運転を停止し又は開始する。
【００６４】
すなわち、リモートコントローラ３６０は、図８に示す通り、無線通信部１１と、無線通信制御部１２と、表示制御部３１３と、表示部３１４と、により構成された管理装置３１０を有している。管理装置３１０は、上記の通り、前述した実施の形態１における管理装置１０と同様に機能する。
【００６５】
なお、図７では、リモートコントローラ３６０が有線により空気調和機３０との通信を行う場合を例示したが、これに限らず、リモートコントローラ３６０は、無線ＬＡＮ、赤外線通信、又はＢｌｕｅｔｏｏｔｈ(登録商標)など、任意の通信規格により空気調和機３０との通信を行うように構成してもよい。このように、リモートコントローラ３６０を使用して空気調和機３０の遠隔操作が可能な場合でも、管理プログラムをダウンロードしてインストールした携帯端末２０を使用すれば、より円滑に空気調和機３０を操作することができる。また、表示部３１４は、文字又は画像等の表示を行う表示パネルと、当該表示パネルと積層されてタッチを検出する検出手段と、を含むタッチパネル等であってもよい。
【００６６】
図９は、図８の管理装置３１０に備わる表示制御部３１３の動作を示すフローチャートである。図９を参照して、管理装置３１０による空気調和機３０の管理方法を説明する。なお、無線通信制御部１２の動作は、図３の場合と同様である。
【００６７】
本実施の形態２の管理装置３１０は、リモートコントローラ３６０に内蔵されており、表示制御部１３は、図７に示すようなリモコン画面を表示部３１４に表示させている（図９：ステップＳ３０１）。そして、表示制御部１３は、リモコン画面を表示部３１４に表示させたまま、無線通信制御部１２から情報表示指令が通知されるまで待機する（図９：ステップＳ３０２／Ｎｏ）。すなわち、表示制御部１３は、ステップＳ３０１へ戻り、表示部３１４にリモコン画面を表示させた状態を維持する。
【００６８】
表示制御部１３は、無線通信制御部１２から情報表示指令が通知されたとき（図９：ステップＳ３０２／Ｙｅｓ）、内部メモリ等から管理プログラム情報を読み出して、表示部３１４の表示を、リモコン画面の表示から管理プログラム情報の表示に切り替える（図９：ステップＳ３０３）。
【００６９】
次いで、表示制御部１３は、無線通信制御部１２から表示切替指令が通知されるまで待機する（図９：ステップＳ３０４／Ｎｏ）。表示制御部１３は、無線通信制御部１２から表示切替指令が通知されたとき（図９：ステップＳ３０４／Ｙｅｓ）、表示部３１４の表示を切り替える。すなわち、表示制御部１３は、無線通信制御部１２からの表示切替指令に応じて、表示部１４の表示を、管理プログラム情報の表示からリモコン画面の表示に切り替える（図９：ステップＳ３０５）。そして、表示制御部１３は、ステップＳ３０１〜Ｓ３０５に示す一連の処理を繰り返し実行する。
【００７０】
なお、図９のステップＳ３０１では、表示部３１４にリモコン画面が表示されていることを前提としているが、これに限定されるものではない。例えば、リモートコントローラ３６０は、空気調和機３０が運転を停止してから所定の時間が経過したときに、少なくとも表示部３１４がスリープ状態となるスリープモードを有していてもよい。そして、図４に示す動作と同様、表示制御部３１３が、無線通信制御部１２から情報表示指令が通知されたとき、表示部１４のスリープ状態を解除するようにしてもよい。また、表示制御部１３は、無線通信制御部１２から表示切替指令が通知されるまでの待機中において（図９：ステップＳ３０４／Ｎｏ）、予め設定された時間が経過したときに、表示部１４の表示を切り替えるようにしてもよい。
【００７１】
以上のように、リモートコントローラ３６０は、携帯端末２０のユーザがリモートコントローラ３６０に近づいたときに、表示部３１４の表示を、管理プログラムのダウンロードを促すことを目的とした画面表示に切り替えることができる。つまり、リモートコントローラ３６０は、近接無線機能を使用して携帯端末２０の存在を確認したとき、表示部３１４の表示内容を管理プログラム情報に切り替えるように構成されているため、ユーザに管理プログラムの存在を確認させることができる。
【００７２】
すなわち、管理装置３１０は、無線通信制御部１２において電波強度が電波強度閾値以上であると判定されたとき、管理プログラム情報を表示部１４に表示させる。このため、リモートコントローラ３６０の近くにいるユーザに、管理プログラムの存在を認識させることができる。したがって、リモートコントローラ３６０によれば、空気調和機３０の管理プログラムの携帯端末２０へのダウンロード率及び利用率を上昇させ、空気調和機３０の操作性を拡張し向上させることができる。
【００７３】
ここで、本実施の形態２における管理装置３１０は、実施の形態１における管理装置１１０又は管理装置２１０などと同様に、報知制御部１１３と報知部１１４との組み合わせ、及び発光制御部２１３と発光部２１４との組み合わせのうちの少なくとも一方を有するように構成してもよい。そして、本実施の形態２の管理装置３１０は、携帯端末２０が閾値よりも近づくと、報知部１１４及び発光部２１４のうちの少なくとも一方に、携帯端末２０が近づいた旨を報知させるようにしてもよい。
【００７４】
上記各実施の形態は、管理装置及び空調システムにおける好適な具体例であり、本発明の技術的範囲は、これらの態様に限定されるものではない。例えば、無線通信部１１は、検出部により、携帯端末２０が発する無線信号として、光又は超音波を検出するようにしてもよい。すなわち、無線通信部１１は、光又は超音波による無線通信を携帯端末２０との間で行うように構成してもよい。
【００７５】
また、上記各実施の形態では、無線通信制御部１２が、携帯端末２０の管理装置１０への近接を、無線信号を用いて検出する例について説明したが、これに限らず、管理装置１０、１１０、２１０、及び３１０は、例えば距離センサ等を有するようにしてもよい。そして、かかる構成を採った場合、管理装置１０、１１０、２１０、及び３１０は、距離センサ等の検出結果を用いて、携帯端末２０の自身への近接を検知するようにしてもよい。つまり、管理装置１０、１１０、２１０、及び３１０は、無線通信部１１が検出した無線信号、又は距離センサによる検出結果等を用いて、携帯端末２０が閾値よりも近づいたか否かを判定する近接判定手段を有するものであればよい。なお、距離センサは、例えば、ＬＥＤ又はレーザダイオード等による光学式のセンサであってもよく、超音波式といった光学式以外の検出方式のセンサであってもよい。
【００７６】
さらに、上記各実施の形態における機器管理システムは、管理装置１０等と同様に機能する管理装置を複数有すると共に、空気調和機３０が複数の室内機を有していてもよい。そして、各管理装置と各室内機とが一対一で関連づけられていてもよい。つまり、例えば、機器管理システムは、複数の管理装置として第１管理装置と第２管理装置とを有し、空気調和機３０が、第１管理装置に接続された第１室内機と、第２管理装置に接続された第２室内機と、を有していてもよい。かかる構成の場合、第１管理装置及び第１室内機と、第２管理装置及び第２室内機とは、同じ部屋に設定されていてもよいし、互いに異なる部屋に設置されていてもよい。そして、携帯端末２０は、第１管理装置を介しての第１室内機の管理、又は第２管理装置を介しての第２室内機の管理を行うようにしてもよい。すなわち、第１室内機の管理用の管理プログラムをインストールした携帯端末２０において、第１管理装置を識別する識別情報が入力された場合に、携帯端末２０からの第１室内機の管理が可能となるようにするとよい。同様に、第２室内機の管理用の管理プログラムをインストールした携帯端末２０において、第２管理装置を識別する識別情報が入力された場合に、携帯端末２０からの第２室内機の管理が可能となるようにするとよい。機器管理システムが、管理装置と室内機とをそれぞれ３台以上有する場合も同様である。
【００７７】
また、上記各実施の形態では、管理装置１０等の管理対象機器として空気調和機３０を例示したが、これに限らず、管理装置１０等の管理対象機器は、給湯器、床暖房、テレビ、ＤＶＤレコーダ、ステレオ、及び照明器具等であってもよい。
【符号の説明】
【００７８】
１０、１１０、２１０、３１０  管理装置、１１  無線通信部、１２  無線通信制御部、１２Ａ  電波強度演算部、１２Ｂ  強度判定部、１３、３１３  表示制御部、１４、３１４  表示部、２０  携帯端末２０  空気調和機、４０  アプリ管理サーバ、５０  公衆回線、９０、３９０  機器管理システム、１００  情報端末機器、１１３  報知制御部、１１４  報知部、２１３  発光制御部、２１４  発光部、３００  伝送線、３６０  リモートコントローラ、３７０  制御部、３７１  空調機制御部、３８０  操作部、Ｍ１０１  メッセージ、Ｍ１０２  ダウンロード情報、Ｍ１０３  コード情報、Ｍ１０４  接続認証情報。
【図１】
2017199295.tif 000003
【図２】
2017199295.tif 000004
【図３】
2017199295.tif 000005
【図４】
2017199295.tif 000006
【図５】
2017199295.tif 000007
【図６】
2017199295.tif 000008
【図７】
2017199295.tif 000009
【図８】
2017199295.tif 000010
【図９】
2017199295.tif 000011
【手続補正書】
【提出日】平成30年7月30日(2018.7.30)
【手続補正１】
【補正対象書類名】明細書
【補正対象項目名】０００７
【補正方法】変更
【補正の内容】
【０００７】
本発明に係る管理装置は、機器と接続され、該機器を管理する管理装置であって、機器の状態を表示する表示部と、携帯端末と無線通信を行う無線通信部と、を備え、携帯端末が閾値よりも近づくと、表示部に、機器を携帯端末によって管理する管理プログラムが存在することを示す管理プログラム情報を表示するものである。
【手続補正２】
【補正対象書類名】特許請求の範囲
【補正対象項目名】全文
【補正方法】変更
【補正の内容】
【特許請求の範囲】
【請求項１】
機器と接続され、該機器を管理する管理装置であって、
前記機器の状態を表示する表示部と、
携帯端末と無線通信を行う無線通信部と、を備え、
前記携帯端末が閾値よりも近づくと、前記表示部に、前記機器を前記携帯端末によって管理する管理プログラムが存在することを示す管理プログラム情報を表示する、
管理装置。
【請求項２】
前記携帯端末が前記閾値よりも近づくと、前記表示部が明るくなる、
請求項１に記載の管理装置。
【請求項３】
前記携帯端末が前記閾値よりも近づくと、前記表示部の表示が切り替えられて、前記表示部に、前記管理プログラム情報が表示される、
請求項１または請求項２に記載の管理装置。
【請求項４】
前記携帯端末が遠ざかると、前記表示部に表示されている前記管理プログラム情報の表示が消える、
請求項１〜請求項３の何れか一項に記載の管理装置。
【請求項５】
前記携帯端末が遠ざかると、前記表示部の表示が切り替えられて、前記表示部に表示されている前記管理プログラム情報の表示が消える、
請求項４に記載の管理装置。
【請求項６】
前記携帯端末が遠ざかると、前記表示部の表示が切り替えられて、前記表示部に、前記管理プログラム情報が表示される直前の表示が表示される、
請求項５に記載の管理装置。
【請求項７】
前記管理プログラム情報は、前記管理プログラムの取得を促す喚起情報を含む、
請求項１〜請求項６の何れか一項に記載の管理装置。
【請求項８】
前記管理プログラム情報は、前記管理プログラムが記憶されているサーバのアドレスに関するアドレス情報を含む、
請求項１〜請求項７の何れか一項に記載の管理装置。
【請求項９】
前記携帯端末が前記閾値よりも近づくと、前記表示部に、当該管理装置を識別する識別情報をさらに表示する、
請求項１〜請求項８の何れか一項に記載の管理装置。
【請求項１０】
壁面に取り付けられている、
請求項１〜請求項９の何れか一項に記載の管理装置。
【請求項１１】
前記表示部は、表示を行う表示パネルと、前記表示パネルと積層されタッチを検出する検出手段と、を含んでいる、
請求項１〜請求項１０の何れか一項に記載の管理装置。
【請求項１２】
音または光で報知を行う報知部をさらに有し、
前記携帯端末が前記閾値よりも近づくと、前記報知部に、前記携帯端末が近づいた旨を報知させる、
請求項１〜請求項１１の何れか一項に記載の管理装置。
【請求項１３】
前記無線通信部は、前記携帯端末が発した無線信号を検出する検出部を含み、
前記検出部が検出した前記無線信号の強度を用いて、前記携帯端末と当該管理装置との間の距離を判断する、
請求項１〜請求項１２の何れか一項に記載の管理装置。
【請求項１４】
前記無線信号の前記強度の平均値を用いて、前記携帯端末と当該管理装置との間の距離を判断する、
請求項１３に記載の管理装置。
【請求項１５】
前記管理プログラムは、前記携帯端末に、前記機器をオンオフ制御する機能、及び前記機器を制御する制御量を調整する機能のうちの少なくとも一つを実現させるプログラムを含んでいる、
請求項１〜請求項１４の何れか一項に記載の管理装置。
【請求項１６】
請求項１〜請求項１５の何れか一項に記載の管理装置と、
前記管理装置と接続されており、部屋の空調を行う室内機と、を備え、
前記管理プログラムをインストールした前記携帯端末が、前記室内機を管理する、
空調システム。
【請求項１７】
前記管理装置は、
前記管理プログラムがインストールされた前記携帯端末が前記閾値よりも近づいた場合には、前記表示部に前記管理プログラム情報を表示せず、
前記管理プログラムがインストールされていない前記携帯端末が前記閾値よりも近づいた場合に、前記表示部に前記管理プログラム情報を表示する
請求項１６に記載の空調システム。
【請求項１８】
前記室内機は、第１室内機と第２室内機とを含み、
前記管理装置は、前記第１室内機と接続された第１管理装置と、前記第２室内機と接続された第２管理装置と、を含み、
前記携帯端末は、前記第１管理装置を介して前記第１室内機を管理し、または前記第２管理装置を介して前記第２室内機を管理する、
請求項１６または請求項１７に記載の空調システム。
【請求項１９】
前記第１室内機および前記第１管理装置と、前記第２室内機および前記第２管理装置と、が異なる部屋に設置されている、
請求項１８に記載の空調システム。
【国際調査報告】
2017199295.tif 000012
2017199295.tif 000013
2017199295.tif 000014
2017199295.tif 000015